(57)【要約】【課題】検索結果を見やすく表示することができるようにする。【解決手段】ＰＣの表示形態で画面５１が表示されるとともに、画面５１の少なくとも一部を検索キーとして用いた検索の結果を含むポップアップ画面１１１が、ＰＣとは異なる種類のスマートフォンの表示形態で表示される。本開示は、例えば、ウェブページ、辞書データ、テキストデータ、文書作成ソフトや表計算ソフトなどのデータ、OCRデータ、電子メールデータ、手書き文字データ、雑誌などのスキャンデータ、画像データ等を検索対象とするパーソナルコンピュータ等に適用することができる。【選択図】図８
2015114955.tif 000002
【特許請求の範囲】
【請求項１】
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御部
を備える情報処理装置。
【請求項２】
前記他の情報処理装置として前記検索を行い、前記第２の表示形態用の前記検索の結果を取得する検索部
をさらに備え、
前記表示制御部は、前記検索部により取得された前記第２の表示形態用の前記検索の結果を表示させる
ように構成された
請求項１に記載の情報処理装置。
【請求項３】
前記自分の情報処理装置として前記検索を行い、前記第１の表示形態用の前記検索の結果を取得する検索部
をさらに備え、
前記表示制御部は、前記検索部により取得された前記第１の表示形態用の前記検索の結果を、前記第２の表示形態用の前記検索の結果に変換して表示させる
ように構成された
請求項１に記載の情報処理装置。
【請求項４】
前記表示制御部は、前記検索の結果と前記検索の結果のカテゴリを前記第２の表示形態で選択的に表示させる
ように構成された
請求項１に記載の情報処理装置。
【請求項５】
前記表示制御部は、ユーザからの指令に応じて、前記検索の結果を一時的に非表示にする
ように構成された
請求項１に記載の情報処理装置。
【請求項６】
前記自分の情報処理装置は、パーソナルコンピュータであり、
前記他の情報処理装置は、スマートフォンである
ように構成された
請求項１に記載の情報処理装置。
【請求項７】
情報処理装置が、
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御ステップ
を含む情報処理方法。
【請求項８】
コンピュータを、
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御部
として機能させるためのプログラム。
【発明の詳細な説明】
【技術分野】
【０００１】
本開示は、情報処理装置、情報処理方法、およびプログラムに関し、特に、検索結果を見やすく表示することができるようにした情報処理装置、情報処理方法、およびプログラムに関する。
【背景技術】
【０００２】
近年、ポップアップ辞書機能を備えた情報処理装置が普及している。このような情報処理装置では、Webブラウザのプラグインなどの特定のアプリケーションの実行時に、表示中の情報の少なくとも一部を検索キーとし、Webページや辞書などを検索対象として検索が行われ、検索結果がポップアップ表示される。
【０００３】
従って、Webブラウザのプラグインなどの特定のアプリケーション以外のアプリケーションの実行時にも検索を行いたいという要望や、Webページや辞書以外の自分で作成したファイルなどを検索対象にしたいという要望がある。また、情報処理装置がタブレット型端末である場合、ペンなどを用いて検索キーを指定したいという要望もある。
【０００４】
一方、ユーザの利き腕を判別し、利き腕に応じた表示を行う情報処理装置がある（例えば、特許文献１および２参照）。
【先行技術文献】
【特許文献】
【０００５】
【特許文献１】特開２０１２−２２６７１３号公報
【特許文献２】特開２０１３−６９１６５号公報
【発明の概要】
【発明が解決しようとする課題】
【０００６】
ところで、ポップアップ辞書機能によるポップアップ表示は、ポップアップ辞書機能を実行する情報処理装置の表示形態で行われていた。従って、検索キーを含む情報と検索結果の表示形態が同一であり、検索結果が見にくかった。
【０００７】
本開示は、このような状況に鑑みてなされたものであり、検索結果を見やすく表示することができるようにするものである。
【課題を解決するための手段】
【０００８】
本開示の一側面の情報処理装置は、自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御部を備える情報処理装置である。
【０００９】
本開示の一側面の情報処理方法およびプログラムは、本開示の一側面の情報処理装置に対応する。
【００１０】
本開示の一側面においては、自分の情報処理装置の第１の表示形態で情報が表示されるとともに、前記情報の少なくとも一部を検索キーとして用いた検索の結果が、前記自分の情報処理装置とは異なる種類の他の情報処理装置の第２の表示形態で表示される。
【発明の効果】
【００１１】
本開示の一側面によれば、検索結果を表示することができる。また、本開示の一側面によれば、検索結果を見やすく表示することができる。
【００１２】
なお、ここに記載された効果は必ずしも限定されるものではなく、本開示中に記載されたいずれかの効果であってもよい。
【図面の簡単な説明】
【００１３】
【図１】本開示を適用した情報処理システムの一実施の形態の構成例を示すブロック図である。
【図２】ＰＣのハードウエアの構成例を示すブロック図である。
【図３】検索表示処理部の構成例を示すブロック図である。
【図４】ユーザによる領域指定方法を説明する図である。
【図５】図４Ｂの領域指定方法で指定された領域内の情報のテキストデータの取得方法を説明する図である。
【図６】ユーザによる位置指定方法を説明する図である。
【図７】調整ボタンの表示例を示す図である。
【図８】検索結果の第１の表示例を示す図である。
【図９】検索結果の第１の表示例を示す図である。
【図１０】検索結果の第１の表示例を示す図である。
【図１１】検索結果の第１の表示例を示す図である。
【図１２】検索結果の第１の表示例を示す図である。
【図１３】検索結果の第２の表示例を示す図である。
【図１４】検索結果の第２の表示例を示す図である。
【図１５】検索表示処理部の検索表示処理を説明するフローチャートである。
【図１６】図１５のテキスト取得処理の詳細を説明するフローチャートである。
【図１７】図１５の検索処理を説明するフローチャートである。
【図１８】フローティングアイコンの表示例を示す図である。
【発明を実施するための形態】
【００１４】
＜一実施の形態＞
（情報処理システムの一実施の形態の構成例）
図１は、本開示を適用した情報処理システムの一実施の形態の構成例を示すブロック図である。
【００１５】
図１の情報処理システム１０は、情報処理装置としてのパーソナルコンピュータ（ＰＣ）１１とウェブサーバ１２により構成される。ＰＣ１１は、ＰＣ１１に表示中の画面に含まれる少なくとも一部の情報を検索キーとしてウェブページを検索する。
【００１６】
具体的には、情報処理システム１０のＰＣ１１は、ユーザからの指示に応じて、ＰＣの表示形態で画面を表示する。ＰＣ１１は、ユーザからの指示に応じて、表示中の画面に含まれる少なくとも一部の情報のテキストデータを検索キーとして取得する。ＰＣ１１は、ＰＣ１１とは異なる種類の情報処理装置であるスマートフォンとして、取得したテキストデータを検索キーとした検索をウェブサーバ１２に要求する。ＰＣ１１は、これによりウェブサーバ１２から送信されてくるスマートフォン表示用の検索結果を受信し、表示中の画面に重畳してスマートフォンの表示形態でポップアップ表示する。
【００１７】
ウェブサーバ１２は、ＰＣ表示用のウェブページとスマートフォン表示用のウェブページを保持している。ウェブサーバ１２は、ＰＣ１１からの検索の要求に応じて、検索キーに関するスマートフォン表示用のウェブページ、または、検索キーに関するウェブページを特定するURL（Uniform Resource Locator）などのページ情報を検索する。
【００１８】
即ち、ＰＣ１１からの検索の要求がブラウザを介して行われた場合、ウェブサーバ１２は、検索キーに関するスマートフォン表示用のウェブページを検索する。一方、ＰＣ１１からの検索の要求がAPI（Application Programming Interface）を介して行われた場合、ウェブサーバ１２は、スマートフォン表示用のページ情報を検索する。ウェブサーバ１２は、検索結果として、ウェブページ、または、ページ情報を検索順位順にリスト化したもの（以下、ページリストという）をＰＣ１１に送信する。
【００１９】
なお、検索順位とは、検索結果として求められる確率が高いと推測される順位である。例えば検索キーが果物の名前であり、果物を解説するウェブページより果物の名前が企業名である企業のホームページの方が検索結果として求められる確率が高いと推測される場合、果物の名前が企業名である企業のホームページの検索順位の方が、果物を解説するウェブページの検索順位より高くなる。
【００２０】
（ＰＣのハードウエア構成例）
図２は、図１のＰＣ１１のハードウエアの構成例を示すブロック図である。
【００２１】
ＰＣ１１において、CPU（Central Processing Unit）２１，ROM（Read Only Memory）２２，RAM（Random Access Memory）２３は、バス２４により相互に接続されている。
【００２２】
バス２４には、さらに、入出力インタフェース２５が接続されている。入出力インタフェース２５には、入力部２６、表示部２７、記憶部２８、通信部２９、及びドライブ３０が接続されている。
【００２３】
入力部２６は、タッチパネルのセンサ部、キーボード(タッチパッドを含む)、マウスなどよりなる。入力部２６は、ユーザの操作を受け付け、その操作に対応する操作信号をCPU２１に供給する。表示部２７は、液晶パネルなどよりなる。入力部２６がタッチパネルのセンサ部である場合、入力部２６と表示部２７でタッチパネルを構成する。記憶部２８は、ハードディスクや不揮発性のメモリなどよりなり、各種の情報を記憶する。
【００２４】
通信部２９は、ネットワークインタフェースなどよりなり、ウェブサーバ１２などの外部の装置と通信を行う。ドライブ３０は、磁気ディスク、光ディスク、光磁気ディスク、又は半導体メモリなどのリムーバブルメディア３１を駆動する。
【００２５】
以上のように構成されるＰＣ１１では、CPU２１が、例えば、記憶部２８に記憶されているプログラムを、入出力インタフェース２５及びバス２４を介して、RAM２３にロードして実行することにより、各種の処理が行われる。
【００２６】
例えば、CPU２１は、記憶部２８に記憶されている所定のアプリケーションを実行することにより、表示部２７にＰＣの表示形態で画面を表示させ、その画面に含まれる少なくとも一部の情報を検索キーとしてウェブページを検索する検索表示処理部として機能する。所定のアプリケーションとしては、ウェブページ、テキストデータ、電子メールデータ、手書き文字データ、雑誌などのスキャンデータ、画像データ等に対して表示等の処理を行うアプリケーション、文書作成ソフトや表計算ソフトなどがある。
【００２７】
CPU２１が実行するプログラムは、例えば、パッケージメディア等としてのリムーバブルメディア３１に記録して提供することができる。また、プログラムは、ローカルエリアネットワーク、インターネット、デジタル衛星放送といった、有線または無線の伝送媒体を介して提供することができる。
【００２８】
ＰＣ１１では、プログラムは、リムーバブルメディア３１をドライブ３０に装着することにより、入出力インタフェース２５を介して、記憶部２８にインストールすることができる。また、プログラムは、有線または無線の伝送媒体を介して、通信部２９で受信し、記憶部２８にインストールすることができる。その他、プログラムは、ROM２２や記憶部２８に、あらかじめインストールしておくことができる。
【００２９】
（ＰＣの機能的構成例）
図３は、CPU２１により実現される検索表示処理部の構成例を示すブロック図である。
【００３０】
図３の検索表示処理部４０は、読み出し部４１、表示制御部４２、および検索部４３により構成される。
【００３１】
図３の検索表示処理部４０の読み出し部４１は、入力部２６から供給される操作信号に応じて、記憶部２８から情報を読み出す。読み出し部４１は、読み出された情報を表示制御部４２に供給する。
【００３２】
表示制御部４２は、読み出し部４１から供給される情報に基づいて、画面をＰＣの表示形態で表示部２７に表示させる。また、表示制御部４２は、検索部４３からの要求に応じて、表示中の画面に含まれる情報のうちの、ユーザにより指定された領域または位置の情報のテキストデータを抽出し、検索部４３に供給する。このとき、表示制御部４２は、抽出されたテキストデータに対応する画面内の情報に対して、検索キーを調整する調整ボタンを表示させる。
【００３３】
表示制御部４２は、検索部４３から供給されるスマートフォン表示用のウェブページ等を、ＰＣの表示形態で表示中の画面に重畳して、スマートフォンの表示形態でポップアップ表示させる。これにより、表示部２７には、ＰＣ表示用の画面と、スマートフォン表示用のウェブページとが、表示される。
【００３４】
検索部４３は、入力部２６から供給される操作信号に応じて、画面内のユーザにより指定された領域または位置の情報のテキストデータを表示制御部４２に要求する。検索部４３は、その要求に応じて表示制御部４２から供給されるテキストデータを検索キーとして取得する。また、検索部４３は、取得された検索キーを用いた検索を、スマートフォンとして、通信部２９を介してウェブサーバ１２に要求する。即ち、検索部４３は、取得された検索キーを用いた検索をスマートフォンとして行う。
【００３５】
検索部４３は、要求に応じてウェブサーバ１２から通信部２９を介して送信されてくるスマートフォン表示用の検索結果を、表示制御部４２に供給する。検索結果がページリストである場合、検索部４３は、検索結果で特定されるウェブページのうちの最も検索順位の高いウェブページの取得を、通信部２９を介してウェブサーバ１２に要求する。検索部４３は、その要求に応じてウェブサーバ１２から通信部２９を介して送信されてくるスマートフォン表示用のウェブページを、表示制御部４２に供給する。
【００３６】
（ユーザによる領域指定方法の説明）
図４は、ユーザによる領域指定方法を説明する図である。
【００３７】
入力部２６がタッチパネルのセンサ部である場合、図４Ａに示すように、ユーザは、例えばタッチペン５０を用いて、入力部２６が積層された表示部２７に表示中のＰＣ表示用の画面５１に丸５２を描くことにより、丸５２内の領域を指定することができる。この場合、ユーザは、紙に印をつける場合と同様の感覚で、検索キーを指定することができる。
【００３８】
また、図４Ｂに示すように、入力部２６がタッチパネルのセンサ部である場合、ユーザは、例えば、タッチペン５０などを画面５１内で入力部２６に接触させた状態で移動する（ドラッグする）ことにより、その移動の始点から終点までの範囲を領域として指定することができる。この場合、ユーザは、細かい単位（例えば１文字単位など）での範囲の指定を容易に行うことができる。
【００３９】
なお、図示は省略するが、入力部２６がタッチパネルのセンサ部やマウスである場合、ユーザは、矩形選択をすることにより、領域を指定することもできる。
【００４０】
（指定領域内の情報のテキストデータの取得方法の説明）
図５は、図４Ｂの領域指定方法で指定された領域内の情報のテキストデータの取得方法を説明する図である。
【００４１】
図５では、画面５１内の情報が画像データである場合について説明する。
【００４２】
この場合、表示制御部４２は、まず、画面５１内の黒色の画素数を水平方向（ｘ方向）に積算する。これにより、図中右上に示すように、各行の画面５１上の垂直方向（y方向）の位置（ｙ座標）が検出される。従って、表示制御部４２は、指定領域の始点のｙ座標と各行の画面５１上のｙ座標から、その始点の行を認識することができる。図５の例では、２行目の”given”の”g”の左側が指定領域の始点となっており、始点のｙ座標はａであるため、始点の行は２行目であることが認識される。
【００４３】
次に、表示制御部４２は、始点の存在する２行目の画面５１上のｙ座標の範囲Ｄの黒色の画素数を垂直方向に積算する。これにより、２行目の各列のｘ方向の位置（ｘ座標）が検出される。従って、表示制御部４２は、指定領域の始点のｘ座標と２行目の各列のｘ座標から、その始点の列を認識することができる。図５の例では、２行目の”given”の”g”の左側が指定領域の始点となっているため、その始点の列は１３列目であることが認識される。従って、表示制御部４２は、２行目の垂直方向の位置の幅の検索キーを表すマーカー７１を、２行目の１３列目の水平方向の位置の最も左側から開始させる。
【００４４】
そして、表示制御部４２は、始点と同様に終点の存在する行と列を認識する。図５の例では、２行目の”given”の”n”の右側が指定領域の終点となっているため、終点は２行１７列目であることが認識される。従って、表示制御部４２は、マーカー７１を２行目の１７列目の水平方向の位置の最も右側で終了させる。そして、表示制御部４２は、画面内の２行１３列目から２行１７列目までの範囲の画像データのテキストデータを取得する。
【００４５】
以上のようにして、画面５１内の情報が画像データである場合、表示制御部４２は、始点と終点の行および列を認識し、始点の行および列から終点の行および列までの範囲のテキストデータを取得する。従って、ユーザは、画面５１内の情報がテキストデータである場合のような操作で、領域を指定することができる。
【００４６】
なお、画像データのテキストデータは、OCR（Optical Character Recognition）を用いて事前に取得される。このOCRの起動は、例えば、ユーザがタッチペン５０のサイドボタンを操作したときに行われる。
【００４７】
（ユーザによる位置指定方法の説明）
図６は、ユーザによる位置指定方法を説明する図である。
【００４８】
図６Ａに示すように、入力部２６がタッチパネルのセンサ部である場合、ユーザは、例えばタッチペン５０の図示せぬサイドボタンなどを押下しながら、タッチペン５０を画面５１内で入力部２６に接触（タッチ）させることにより、接触位置を指定することができる。
【００４９】
なお、入力部２６がキーボードとマウスである場合には、キーボードに設けられた修飾キーを押下しながら、画面５１に対してマウスでクリック操作を行うことにより、クリック操作位置を指定することができる。
【００５０】
また、入力部２６がタッチパネルのセンサ部であり、ユーザが指で操作を行う場合には、表示部２７に表示さる修飾キーに対応する入力部２６の位置を指で押下しながら、他の指を画面５１内で入力部２６に接触させることにより、接触位置を指定することができる。この場合、特定のジェスチャ（例えば、３本の指でタッチ）を入力部２６に対して行った後、指を画面５１内で入力部２６に接触させることにより接触位置を指定することができるようにしてもよい。
【００５１】
また、図６Ｂに示すように、入力部２６がタッチパネルのセンサ部である場合、ユーザは、例えばタッチペン５０の図示せぬサイドボタンなどを押下しながら、画面５１内で入力部２６に丸８１を描くことにより、丸８１内の領域の中心位置を指定することができる。
【００５２】
（調整ボタンの表示例）
図７は、調整ボタンの表示例を示す図である。
【００５３】
図７に示すように、調整ボタン９０は、始点調整ボタン９１と終点調整ボタン９２により構成される。始点調整ボタン９１は、表示制御部４２により抽出されたテキストデータに対応する画面５１内の情報の始点、即ち検索キーの始点に表示され、終点調整ボタン９２は、検索キーの終点に表示される。
【００５４】
例えば、図７では、表示制御部４２により抽出されたテキストデータに対応する画面５１内の情報が”given”であるので、始点である”g”の左側に始点調整ボタン９１が表示され、終点である“n”の右側に終点調整ボタン９２が表示される。
【００５５】
ユーザは、入力部２６を操作して始点調整ボタン９１を上下左右に移動させることにより、検索キーの始点を変更することができる。また、ユーザは、入力部２６を操作して終点調整ボタン９２を上下左右に移動させることにより、検索キーの終点を変更することができる。
【００５６】
（検索結果の第１の表示例）
図８乃至図１２は、検索結果の第１の表示例を示す図である。
【００５７】
図８に示すように、スマートフォン表示用の検索結果を表示するポップアップ画面１１１は、ＰＣ表示用の画面５１に重畳して表示される。ここでは、ポップアップ画面１１１は、画面５１内のマーカー７１が付されている検索キーの終点の水平方向の位置とポップアップ画面１１１の右端の水平方向の位置が同一になるように、検索キーの直下に重畳される。
【００５８】
なお、ポップアップ画面１１１の表示位置は、これに限定されない。例えば、ポップアップ画面１１１の表示位置は、領域指定方法に応じて異なるようにすることができる。この場合、例えば、領域指定方法が右から左へドラッグする方法である場合、ポップアップ画面１１１は、画面５１内の検索キーの終点の水平方向の位置とポップアップ画面１１１の右端の水平方向の位置が同一になるように、検索キーの直下に重畳される。
【００５９】
一方、領域指定方法が左から右へドラッグする方法である場合、ポップアップ画面１１１は、画面５１内の検索キーの終点の水平方向の位置とポップアップ画面１１１の右端の水平方向の位置が同一になるように、検索キーの直上に重畳される。
【００６０】
このように、ドラッグの方向に応じてポップアップ画面１１１の表示位置を変更することにより、ポップアップ画面１１１の視認性を高めることができる。即ち、一般的に、右から左へのドラッグは左利きのユーザによって行われ、左から右へのドラッグは右利きのユーザによって行われる。そして、左利きのユーザの手は、操作対象の左下側に存在するが、右利きのユーザの手は操作対象の右下側に存在する。
【００６１】
従って、右から左へドラッグされる場合、ポップアップ画面１１１を右下側に表示させることにより、ポップアップ画面１１１の操作時にユーザの手が検索キーを隠すことを防止することができる。また、左から右へドラッグされる場合、ポップアップ画面１１１を右上側に表示させることにより、ドラッグ時にユーザの手がポップアップ画面１１１を隠すことを防止することができる。
【００６２】
また、ポップアップ画面１１１の表示位置は、位置指定方法に応じて異なるようにすることができる。この場合、位置指定方法が検索キーの左側をタッチする方法である場合、ポップアップ画面１１１は、画面５１内の検索キーの始点の水平方向の位置とポップアップ画面１１１の左端の水平方向の位置が同一になるように、検索キーの直下に重畳される。一方、位置指定方法が検索キーの右側をタッチする方法である場合、ポップアップ画面１１１は、画面５１内の検索キーの終点の水平方向の位置とポップアップ画面１１１の右端の水平方向の位置が同一になるように、検索キーの直上に重畳される。
【００６３】
以上のように、ポップアップ画面１１１は、検索キーの周辺に表示されるため、ユーザは、大きく視線を移動させることなく、ポップアップ画面１１１と検索キーの両方を見ることができる。
【００６４】
なお、ポップアップ画面１１１の全部を表示部２７に表示できない場合には、ポップアップ画面１１１の全部が表示できるように、検索キーとの上下関係を逆にしたり、検索キーと垂直方向の位置が同一になるようにしたりする。ポップアップ画面１１１は、画面５１内に収まらなくてもよい。
【００６５】
また、ポップアップ画面１１１の表示モードが色自動調整モードである場合、ポップアップ画面１１１の背景色は、マーカー７１内の文字色となり、ポップアップ画面１１１の文字色は、マーカー７１の色となる。この場合、画面５１とポップアップ画面１１１の色が近くなるので、視神経への刺激を少なくすることができる。一方、ポップアップ画面１１１の表示モードが色自動調整モードではない場合、ポップアップ画面１１１の文字色と背景色は、予め決められた色(例えば、文字色が黒色で背景色が白色)となる。
【００６６】
ポップアップ画面１１１のサイズは特に限定されないが、画面５１の視認を妨げず、かつ、ポップアップ画面１１１の操作をしやすいサイズである。
【００６７】
図９に示すように、ポップアップ画面１１１は、検索キー設定部１３１と検索結果表示部１３２により構成される。
【００６８】
検索キー設定部１３１の右上には、非表示ボタン１４１、ピン止めボタン１４２、サイドバー表示ボタン１４３、最大化ボタン１４４、閉じるボタン１４５が左から順に表示される。非表示ボタン１４１は、操作されている間ポップアップ画面１１１を一時的に非表示にするためのボタンである。ピン止めボタン１４２は、次に操作されるまでポップアップ画面１１１を表示し続けるためのボタンである。
【００６９】
サイドバー表示ボタン１４３は、ポップアップ画面１１１をサイドバーとして表示させるときに操作されるボタンである。最大化ボタン１４４は、ポップアップ画面１１１の表示を最大化するときに操作されるボタンである。閉じるボタン１４５は、ポップアップ画面１１１の表示を終了するときに操作される。
【００７０】
検索キー設定部１３１の中央上部には、検索キー表示部１４６が表示される。検索キー表示部１４６には、最初、検索部４３による検索に用いられた検索キーが表示される。ユーザは、入力部２６を用いて検索キー表示部１４６に表示される検索キーを変更することにより、検索キーを変更することができる。
【００７１】
検索キー設定部１３１の左下には、関連ワード選択部１４７が表示される。関連ワード選択部１４７は、検索キーに関連するワードを選択するときに操作される。ユーザが、関連ワード選択部１４７を操作すると、図１０に示すように、検索キーに関連するワードが表示され、ユーザは、そのワードのうちの所望の１つを選択することができる。このようにして選択されたワードは、新たに検索キーとされる。
【００７２】
図９に示すように、検索キー設定部１３１の右下にはまた、検索結果の内容のジャンルを選択するときに操作されるジャンル選択部１４８が表示される。図９の例では、ジャンル選択部１４８において、ジャンルとして「意味」が選択されており、検索キーの意味を表すウェブページまたはページリストが検索されている。
【００７３】
検索結果表示部１３２の左上には、ページタブ１６１とリストタブ１６２が表示される。ページタブ１６１は、検索結果表示部１３２にウェブページを表示させるときに操作される。リストタブ１６２は、検索結果表示部１３２にページリストに基づく画面を表示させるときに操作される。
【００７４】
ページタブ１６１が操作されたとき、検索結果表示部１３２の中央上部には、操作部１６３が表示される。操作部１６３には、上位ボタン１８１、下位ボタン１８２、前へボタン１８３、次へボタン１８４、戻るボタン１８５、進むボタン１８６、更新ボタン１８７、ブラウザボタン１８８が左から順に表示される。
【００７５】
上位ボタン１８１は、ページ表示部１６４に表示中のウェブページより検索順位が１つ上であるウェブページを表示させるときに操作される。下位ボタン１８２は、ページ表示部１６４に表示中のウェブページより検索順位が１つ下であるウェブページを表示させるときに操作される。
【００７６】
前へボタン１８３は、ページ表示部１６４に表示中のウェブページで、現在マーカー１６４ａが付されている検索キーの前に出現する検索キーにマーカー１６４ａを付けるときに操作される。次へボタン１８４は、ページ表示部１６４に表示中のウェブページで、現在マーカー１６４ａが付されている検索キーの次に出現する検索キーにマーカー１６４ａを付けるときに操作される。
【００７７】
戻るボタン１８５は、ページ表示部１６４に表示するウェブページを、１つ前に表示したウェブページに変更するときに操作される。進むボタン１８６は、ページ表示部１６４に表示するウェブページを、１つ後に表示したウェブページに変更するときに操作される。
【００７８】
更新ボタン１８７は、ページ表示部１６４に表示中のウェブページを更新するときに操作される。ブラウザボタン１８８は、検索結果をブラウザで表示するときに操作される。
【００７９】
ページタブ１６１が操作されたとき、検索結果表示部１３２の中央下部には、ページ表示部１６４が表示される。ページ表示部１６４には、検索結果であるウェブページ、または、ページリストに登録されているページ情報のうちの最も検索順位の高いページ情報により特定されるウェブページが表示される。
【００８０】
このように、検索結果がページリストである場合、ページ表示部１６４には、最も検索順位の高いウェブページが表示されるので、ユーザは、最も有用である可能性の高いウェブページを即座に見ることができる。
【００８１】
ページ表示部１６４に表示されるウェブページ内の１つの検索キーには、マーカー１６４ａが付される。このマーカー１６４ａが付される検索キーは、前へボタン１８３や次へボタン１８４によって変更される。また、ページ表示部１６４に表示されるウェブページのサイズが、ページ表示部１６４のサイズを超える場合には、ページ表示部１６４の右端にスクロールバー１９１が表示される。そして、ウェブページのうちのマーカー１６４ａが付されている検索キーを含むページ表示部１６４のサイズの領域がページ表示部１６４に表示される。
【００８２】
このように、ウェブページ内の検索キーにはマーカー１６４ａが付されるため、ユーザは、素早くウェブページ内の検索キーを視認することができる。
【００８３】
図１１に示すように、リストタブ１６２が操作されたとき、検索結果表示部１３２の中央には、リスト表示部２０１が表示される。リスト表示部２０１には、検索結果のカテゴリのリストとページリストに基づく情報とが表示される。
【００８４】
図１１の例では、検索結果のカテゴリとして“Dictionary”,”Waki”,”Bong”が表示されている。カテゴリ“Dictionary”には、辞書のウェブページの検索結果が分類され、カテゴリ”Waki”には、Wakipediaのウェブページの検索結果が分類される。カテゴリ”Bong”には、検索エンジン”bong”の検索結果が分類される。このカテゴリは、ユーザの入力部２６の操作に応じて変更したり、削除したりすることができる。
【００８５】
また、図１１の例では、ページリストに基づく情報として、検索順位の高い順に５つのウェブページのページ情報が表示されている。
【００８６】
リスト表示部２０１に表示されているカテゴリがユーザにより選択されると、リストタブ１６２の選択状態からページタブ１６１の選択状態に状態が遷移し、そのカテゴリに分類されるウェブページが表示される。例えば、図１１において、カテゴリ”Waki”が選択されると、図１２に示すように、検索結果表示部１３２には、操作部１６３とページ表示部１６４が表示される。そして、ページ表示部１６４には、カテゴリ”Waki”に分類されるウェブページが表示される。
【００８７】
また、リスト表示部２０１に表示されているページ情報がユーザにより選択された場合も同様に、リストタブ１６２の選択状態からページタブ１６１の選択状態に状態が遷移し、そのページ情報により特定されるウェブページが表示される。
【００８８】
（検索結果の第２の表示例）
図１３および図１４は、スマートフォン表示用の検索結果を表示するポップアップ画面の第２の表示例を示す図である。
【００８９】
図１３のポップアップ画面２２１は、検索キー設定部２４１、表示部２４２、および操作部２４３により構成される。ポップアップ画面２２１は、図８のポップアップ画面１１１と同様に、ＰＣ表示用の画面５１に重畳して表示される。
【００９０】
ポップアップ画面２２１の検索キー設定部２４１は、検索キー表示部２６１と履歴表示ボタン２６２により構成される。検索キー表示部２６１には、最初、検索部４３による検索に用いられた検索キーが表示される。ユーザは、入力部２６を用いて検索キー表示部２６１に表示される検索キーを変更することにより、検索キーを変更することができる。
【００９１】
履歴表示ボタン２６２は、検索キー表示部２６１に検索キーの過去の履歴を表示させるときに操作される。ユーザは、履歴表示ボタン２６２を操作し、表示される検索キーの過去の履歴の中から所望の検索キーを選択することにより、その検索キーを再度検索キーに設定することができる。
【００９２】
表示部２４２には、各種の設定を行う設定画面、検索結果、検索結果のカテゴリのボタン２７１などが表示される。なお、表示部２４２のサイズが表示対象のサイズより小さい場合には、図示せぬスクロールバーが右端に表示される。
【００９３】
検索結果のカテゴリとしては、図１３に示すように、“Bong(web)”, “Bong(Img)”, “Bong(Map)”,”wakipedia”,”Noogle”,”Mahoo!”,”Noogle(辞書)”などがある。ボタン２７１は、そのボタン２７１に対応するカテゴリの検索結果を表示するときに操作される。
【００９４】
このボタン２７１は、ユーザにより追加したり削除したりすることが可能である。ボタン２７１の追加は、例えば、ネットワークを介して図示せぬサーバからダウンロードすることにより行われる。なお、ボタン２７１は、ユーザにより新たに作成されるようにしてもよい。この場合、ユーザが、自分で作成したボタン２７１を他のユーザとシェアできるようにしてもよい。また、表示部２４２に表示されているボタン２７１は、ユーザにより並び替えることができるようにしてもよい。
【００９５】
操作部２４３は、設定ボタン２８１、ホームボタン２８２、およびブラウザボタン２８３により構成される。設定ボタン２８１は、設定画面を表示部２４２に表示させるときに操作される。設定画面では、タッチペン５０のサイドボタンの使用の有無、色自動調整モードのオンオフなどを設定することができる。ホームボタン２８２は、ボタン２７１を表示部２４２に表示させるときに操作される。ブラウザボタン２８３は、検索結果をブラウザで表示するときに操作される。
【００９６】
なお、操作部２４３には、ポップアップ画面２２１を一時的に非表示にするときに操作される透明化ボタンや、次に操作されるまでポップアップ画面２２１を表示し続けるためのピン止めボタンが含まれていてもよい。操作部２４３にはまた、ポップアップ画面２２１をサイドバーとして表示させるときに操作されるサイドバー表示ボタンが含まれていてもよい。
【００９７】
以上のように構成されるポップアップ画面２２１では、図１４の左側に示すように、最初、所定のカテゴリの検索結果（図１４の例では”Wakipedia”）が表示部２４２に表示される。ここで、ホームボタン２８２が操作されると、図１４の中央に示すように、ボタン２７１が表示部２４２に表示される。そして、ユーザが、所望のカテゴリ（図１４の例では”Noogle（辞書）”）のボタン２７１を操作すると、図１４の右側に示すように、そのカテゴリの検索結果が表示部２４２に表示される。なお、検索結果としてのウェブページ内の検索キーには、図８乃至図１２の場合と同様に、マーカー１６４ａが付されている。
【００９８】
（ＰＣの処理の説明）
図１５は、ＰＣ１１の検索表示処理部４０の検索表示処理を説明するフローチャートである。この検索表示処理は、例えば、ＰＣ表示用の画面５１が表示されたとき、開始される。
【００９９】
ステップＳ１１において、検索表示処理部４０の検索部４３は、入力部２６から供給される操作信号に応じて、ユーザにより検索が指示されたかどうかを判定する。具体的には、検索部４３は、入力部２６の特定のキーやサイドボタンの押下、入力部２６に対する特定のタッチジェスチャなどに対応する操作信号が入力部２６から供給された場合、ユーザにより検索が指示されたと判定する。
【０１００】
ステップＳ１１でユーザにより検索が指示されていないと判定された場合、検索が指示されるまで待機する。一方、ステップＳ１１でユーザにより検索が指示されたと判定された場合、検索部４３は、画面内のユーザにより指定された領域または位置の情報のテキストデータを表示制御部４２に要求し、処理をステップＳ１２に進める。
【０１０１】
ステップＳ１２において、表示制御部４２は、検索キーとしてテキストデータを取得するテキスト取得処理を行う。このテキスト取得処理は、後述する図１６を参照して説明する。
【０１０２】
ステップＳ１３において、表示制御部４２は、画面５１内の検索キーに対して調整ボタン９０（図７）を表示させる。
【０１０３】
ステップＳ１４において、表示制御部４２は、入力部２６から供給される操作信号に応じて調整ボタン９０がユーザにより操作されたかどうかを判定する。ステップＳ１４で調整ボタン９０が操作されたと判定された場合、処理はステップＳ１５に進む。
【０１０４】
ステップＳ１５において、表示制御部４２は、その操作に応じて検索キーを更新する。具体的には、表示制御部４２は、始点調整ボタン９１の位置を始点とし、終点調整ボタン９２の位置を終点とする領域を新たな指定領域として認識し、後述する図１６のステップＳ４２およびＳ４３の処理を行う。そして、処理はステップＳ１３に戻る。
【０１０５】
一方、ステップＳ１４で調整ボタン９０が操作されていないと判定された場合、表示制御部４２は、検索キーを検索部４３に供給し、処理をステップＳ１６に進める。
【０１０６】
ステップＳ１６において、検索部４３は、スマートフォンとして検索キーを用いた検索を行う検索処理を行う。この検索処理の詳細は、後述する図１７を参照して説明する。
【０１０７】
ステップＳ１７において、表示制御部４２は、予め保持しているレイアウト情報にしたがって、ステップＳ１６の検索処理により検索部４３から供給される検索結果を含むポップアップ画面１１１（２２１）を生成し、画面５１に重畳して表示させる。
【０１０８】
ステップＳ１８において、表示制御部４２は、入力部２６から供給される操作信号に応じて、ユーザによりポップアップ画面１１１（２２１）に表示する検索結果の変更が指示されたかどうかを判定する。例えば、図９のリストタブ１６２の操作、図１１のリスト表示部２０１内のカテゴリやページ情報の選択、図１３のホームボタン２８２の操作後のボタン２７１の選択等が行われた場合、表示する検索結果の変更が指示されたと判定される。
【０１０９】
ステップＳ１８で検索結果の変更が指示されたと判定された場合、処理はステップＳ１７に戻り、表示制御部４２は、新たに表示する検索結果を含むポップアップ画面１１１（２２１）を画面５１に重畳して表示させる。そして、処理はステップＳ１８に進み、ステップＳ１８の処理が繰り返される。
【０１１０】
一方、ステップＳ１８で表示する検索結果の変更が指示されていないと判定された場合、処理はステップＳ１９に進む。
【０１１１】
ステップＳ１９において、検索部４３は、検索キーの更新が指示されたかどうかを判定する。例えば、図９の検索キー表示部１４６への入力、関連ワード選択部１４７の操作、図１３の検索キー表示部２６１への入力などが行われた場合、検索キーの更新が指示されたと判定される。
【０１１２】
ステップＳ１９で検索キーの更新が指示されたと判定された場合、処理はステップＳ１６に戻り、更新後の検索キーを用いた検索処理が行われる。そして、処理はステップＳ１７に進み、ステップＳ１８およびＳ１９の処理が繰り返される。
【０１１３】
一方、ステップＳ１９で検索キーの更新が指示されていないと判定された場合、処理はステップＳ２０に進む。ステップＳ２０において、検索部４３は、入力部２６から供給される操作信号に応じて、処理を終了するかどうかを判定する。具体的には、検索部４３は、入力部２６の特定のキーやサイドボタンの押下、入力部２６に対する特定のタッチジェスチャなどに対応する操作信号が入力部２６から供給された場合、処理を終了すると判定する。
【０１１４】
ステップＳ２０で処理を終了しないと判定された場合、処理はステップＳ１２に戻り、ステップＳ２０で処理を終了すると判定されるまで、ステップＳ１２乃至Ｓ２０の処理が繰り返される。
【０１１５】
一方、ステップＳ２０で処理を終了すると判定された場合、処理は終了する。
【０１１６】
なお、図１５の検索表示処理では、調整ボタン９０が操作されると検索キーが更新されたが、調整ボタン９０が操作された後何等かの操作が行われたときに検索キーが更新されるようにしてもよい。
【０１１７】
図１６は、図１５のステップＳ１２のテキスト取得処理の詳細を説明するフローチャートである。
【０１１８】
図１６のステップＳ４１において、表示制御部４２は、操作信号に応じてユーザにより領域が指定されたかどうかを判定する。ステップＳ４１でユーザにより領域が指定されたと判定された場合、処理はステップＳ４２に進む。
【０１１９】
ステップＳ４２において、表示制御部４２は、画面５１上の指定領域内の情報にマーカー７１を付ける。ステップＳ４３において、表示制御部４２は、指定領域内の情報のテキストデータを検索キーとして取得する。テキストデータの取得は、クリップボード、API,OCRなどを経由して行われる。そして、処理は図１５のステップＳ１２に戻り、ステップＳ１３に進む。
【０１２０】
一方、ステップＳ４１でユーザにより領域が指定されていないと判定された場合、処理はステップＳ４４に進む。ステップＳ４４において、表示制御部４２は、操作信号に応じてユーザにより位置が指定されたかどうかを判定する。
【０１２１】
ステップＳ４４でユーザにより位置が指定されたと判定された場合、処理はステップＳ４５に進む。ステップＳ４５において、表示制御部４２は、操作信号に応じて、画面５１内の指定位置周辺のテキストデータを取得する。テキストデータの取得は、API,OCRなどを経由して行われる。
【０１２２】
ステップＳ４６において、表示制御部４２は、取得されたテキストデータから検索キーを抽出する。検索キーの抽出方法としては、形態素解析技術等を用いて辞書とのマッチングを行い、マッチング度合の高いものを検索キーとして抽出する方法、文字種の区切りに基づいて検索キーを抽出する方法などがある。文字種の区切りに基づいて検索キーを抽出する方法では、検索キーが英語である場合にスペースで囲まれる範囲が検索キーとして抽出されたり、連続するカタカナが検索キーとして抽出されたりする。文字種の区切りに基づいて検索キーを抽出する方法は、取得されたテキストデータの言語に応じて異なるようにしてもよい。
【０１２３】
ステップＳ４７において、表示制御部４２は、抽出された検索キーにマーカー７１を付ける。そして、処理は図１５のステップＳ１２に戻り、ステップＳ１３に進む。
【０１２４】
また、ステップＳ４４でユーザにより位置が指定されていないと判定された場合、処理はステップＳ４１に戻り、領域または位置が指定されるまで、ステップＳ４１およびＳ４４の処理が行われる。
【０１２５】
なお、本実施の形態では、領域と位置の両方の指定を認識できるようになっているが、いずれか一方のみの指定を認識できるようにしてもよい。
【０１２６】
図１７は、図１５のステップＳ１６の検索処理を説明するフローチャートである。
【０１２７】
図１７のステップＳ６１において、検索部４３は、通信部２９を介して、スマートフォンとして、ウェブサーバ１２に検索キーを用いた検索を要求するクエリを送信する。ステップＳ６２において、検索部４３は、そのクエリに応じてウェブサーバ１２から送信されてくるスマートフォン表示用の検索結果を、通信部２９を介して受信し、表示制御部４２に供給する。
【０１２８】
ステップＳ６３において、検索部４３は、受信された検索結果がウェブページであるかどうかを判定する。ステップＳ６３で検索結果がウェブページではないと判定された場合、即ち、検索結果がページリストである場合、処理はステップＳ６４に進む。
【０１２９】
ステップＳ６４において、検索部４３は、ページリストに含まれる最も検索順位の高いウェブページのページ情報に基づいて、そのウェブページをスマートフォンとして要求するクエリを生成し、通信部２９を介して送信する。
【０１３０】
ステップＳ６５において、検索部４３は、そのクエリに応じてウェブサーバ１２から送信されてくる最も検索順位の高いスマートフォン表示用のウェブページを、通信部２９を介して受信し、表示制御部４２に供給する。そして、処理は図１５のステップＳ１６に戻り、ステップＳ１７に進む。
【０１３１】
一方、ステップＳ６３で検索結果がウェブページであると判定された場合、処理は図１５のステップＳ１６に戻り、ステップＳ１７に進む。
【０１３２】
以上のように、ＰＣ１１は、ＰＣの表示形態で画面５１を表示させるとともに、画面５１に含まれる少なくとも一部の情報を検索キーとして用いた検索の結果を含むポップアップ画面１１１（２２１）を、スマートフォン用の表示形態で表示させる。従って、画面５１とポップアップ画面１１１（２２１）の表示形態が異なり、検索結果が見やすい。
【０１３３】
また、ＰＣ１１は、ポップアップ画面１１１（２２１）を画面５１に重畳して表示させる。従って、検索結果がブラウザを用いて単独で表示される場合に比べて、ユーザは、画面５１内の情報と検索結果とをリンクさせて理解することができる。
【０１３４】
さらに、ポップアップ画面１１１（２２１）に表示される検索結果は、画面５１より小さい画面に対応するスマートフォン表示用の検索結果であるため、ポップアップ画面１１１（２２１）の視認性を向上させることができる。
【０１３５】
また、ＰＣ１１は、ユーザにより指定された領域または位置に対応するテキストデータを検索キーとして検索を行うので、ユーザは、画面５１内の領域または位置を指定するだけで、その領域内の情報または位置に対応する情報を検索キーとした検索を行うことができる。従って、ユーザは、画面５１内の情報を手軽に検索することができる。
【０１３６】
なお、上述した説明では、ユーザが検索を指示した後、領域または位置を指定することにより検索が行われるようにしたが、ユーザが検索を指示せずに、領域または位置を指定した後、フローティングアイコンを操作することにより検索が行われるようにしてもよい。
【０１３７】
この場合、ユーザにより領域または位置が指定されると、図１８に示すように、表示制御部４２は、検索キーにマーカー７１を付けると同時に、フローティングアイコン３０１を表示させる。このフローティングアイコン３０１の表示位置は、ポップアップ画面１１１（２２１）の表示位置と同一である。
【０１３８】
即ち、フローティングアイコン３０１は、図１８に示すようにマーカー７１が付されている検索キーの終点の水平方向の位置とフローティングアイコン３０１の右端または左端の水平方向の位置とが同一になるように、マーカー７１の直上または直下に表示される。このようにフローティングアイコン３０１は、マーカー７１の直上または直下に表示されるため、領域または位置を指定したユーザは、垂直方向に大きく視線をずらすことなく、フローティングアイコン３０１を見ることができる。
【０１３９】
フローティングアイコン３０１のサイズは、マーカー７１内の検索キーの文字サイズに応じて変更される。但し、フローティングアイコン３０１の最小サイズは、入力部２６としてのマウス、指やタッチペン５０などで操作をしやすいサイズとされる。また、例えば、フローティングアイコン３０１の内部は透明度や輝度が高く、外枠は透明度や輝度が低くなっている。
【０１４０】
なお、本実施の形態では、検索対象がウェブサーバ１２に記憶されているウェブページであるものとしたが、記憶部２８にローカルファイルとして記憶されている、辞書データ、テキストデータ、文書作成ソフトや表計算ソフトなどのデータ、OCRデータ、電子メールデータ、手書き文字データ、雑誌などのスキャンデータ、画像データ等が検索対象とされてもよい。
【０１４１】
この場合、検索部４３は、ＰＣ１１として検索を行い、ＰＣ表示用の検索結果を記憶部２８から取得し、表示制御部４２に供給する。表示制御部４２は、ＰＣ表示用の検索結果をスマートフォン表示用の検索結果に変換し、変換後の検索結果をスマートフォンの表示形態でポップアップ表示させる。
【０１４２】
また、本実施の形態では、ポップアップ画面１１１（２２１）は、スマートフォン表示用の画面であるものとしたが、ＰＣ１１とは種類の異なる情報処理装置の表示用の画面であれば、スマートフォンに限定されない。
【０１４３】
さらに、本実施の形態では、調整ボタン９０の操作により検索キーの変更が指示されるようにしたが、検索キーの変更の指示方法は、これに限定されない。例えば、入力部２６がキーボードである場合、ユーザは、シフトキーを押下しながら方向キーを押下することにより、指定範囲を変更し、検索キーの変更を行うようにしてもよい。
【０１４４】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４５】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４６】
さらに、本明細書に記載された効果はあくまで例示であって限定されるものではなく、他の効果があってもよい。
【０１４７】
また、本開示の実施の形態は、上述した実施の形態に限定されるものではなく、本開示の要旨を逸脱しない範囲において種々の変更が可能である。
【０１４８】
例えば、本開示は、１つの機能をネットワークを介して複数の装置で分担、共同して処理するクラウドコンピューティングの構成をとることができる。
【０１４９】
また、上述のフローチャートで説明した各ステップは、１つの装置で実行する他、複数の装置で分担して実行することができる。
【０１５０】
さらに、１つのステップに複数の処理が含まれる場合には、その１つのステップに含まれる複数の処理は、１つの装置で実行する他、複数の装置で分担して実行することができる。
【０１５１】
なお、本開示は、以下のような構成もとることができる。
【０１５２】
（１）
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御部
を備える情報処理装置。
（２）
前記他の情報処理装置として前記検索を行い、前記第２の表示形態用の前記検索の結果を取得する検索部
をさらに備え、
前記表示制御部は、前記検索部により取得された前記第２の表示形態用の前記検索の結果を表示させる
ように構成された
前記（１）に記載の情報処理装置。
（３）
前記自分の情報処理装置として前記検索を行い、前記第１の表示形態用の前記検索の結果を取得する検索部
をさらに備え、
前記表示制御部は、前記検索部により取得された前記第１の表示形態用の前記検索の結果を、前記第２の表示形態用の前記検索の結果に変換して表示させる
ように構成された
前記（１）に記載の情報処理装置。
（４）
前記表示制御部は、前記検索の結果と前記検索の結果のカテゴリを前記第２の表示形態で選択的に表示させる
ように構成された
前記（１）乃至（３）のいずれかに記載の情報処理装置。
（５）
前記表示制御部は、ユーザからの指令に応じて、前記検索の結果を一時的に非表示にする
ように構成された
前記（１）乃至（４）のいずれかに記載の情報処理装置。
（６）
前記自分の情報処理装置は、パーソナルコンピュータであり、
前記他の情報処理装置は、スマートフォンである
ように構成された
前記（１）乃至（５）のいずれかに記載の情報処理装置。
（７）
情報処理装置が、
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御ステップ
を含む情報処理方法。
（８）
コンピュータを、
自分の情報処理装置の第１の表示形態で情報を表示させるとともに、前記情報の少なくとも一部を検索キーとして用いた検索の結果を、前記自分の情報処理装置とは異なる種類の他の情報処理装置の第２の表示形態で表示させる表示制御部
として機能させるためのプログラム。
【符号の説明】
【０１５３】
１１  ＰＣ，  ４２  表示制御部，  ４３  検索部，  １４１  非表示ボタン，  １６１  ページタブ，  １６２  リストタブ
【図１】
2015114955.tif 000003
【図２】
2015114955.tif 000004
【図３】
2015114955.tif 000005
【図４】
2015114955.tif 000006
【図５】
2015114955.tif 000007
【図６】
2015114955.tif 000008
【図７】
2015114955.tif 000009
【図８】
2015114955.tif 000010
【図９】
2015114955.tif 000011
【図１０】
2015114955.tif 000012
【図１１】
2015114955.tif 000013
【図１２】
2015114955.tif 000014
【図１３】
2015114955.tif 000015
【図１４】
2015114955.tif 000016
【図１５】
2015114955.tif 000017
【図１６】
2015114955.tif 000018
【図１７】
2015114955.tif 000019
【図１８】
2015114955.tif 000020